(57)【要約】【課題】メモリへのデータ書き込み中に電源遮断があってもメモリへの書き込みを安全に終了することができるとともに、航空機の運航状況を示す情報を利用することで通信遅延を軽減することができるメモリ装置を提供する。【解決手段】フライト状態に基づき制御回路を中継接続するかスルー接続するかを切り替える中継回路を備え、フライト情報が「安定動作」のときには、制御回路をスルー接続してメモリ制御手段とメモリ間の通信を直接行うことで通信遅延を軽減し、一方フライト情報が「安定動作」ではないときには、制御回路を中継接続し、制御回路が電圧低下信号を受信した場合自ら書き込み停止コマンドをメモリに出力する。【選択図】図１
2015038688.tif 000002
【特許請求の範囲】
【請求項１】
航空機体で使用され、外部からのデータをメモリに読み書きすることができるメモリ装置であって、
電源遮断を検知する入力電圧低下検出回路と、
外部から航空機関連情報を受信し、受信した前記航空機関連情報をもとにフライト状態が「安定動作」あるいは「電源遮断」であるかを判定するとともに、外部からデータ書き込み指示があったときに書き込みコマンドを前記メモリに出力するメモリ制御部と、
前記フライト状態に基づき、前記メモリ制御部と前記メモリを接続するデータ通信ラインを制御回路に接続させるかどうかを判断する中継回路とを備え、
前記入力電圧低下検出回路は、電源遮断を検知したときに、前記メモリ制御部及び前記中継回路に対して電源低下検出信号を出力し、
前記中継回路は、前記フライト状態が「安定動作」のときには前記制御回路をスルーし、「電源遮断」のときには前記制御回路を中継するように切り替え、
前記制御回路は、前記中継回路で前記データ通信ラインが前記制御回路を中継するように切り替わっている場合に前記中継回路が前記電源低下検出信号を受信したときは、自ら書き込み停止コマンドを前記メモリに出力することを特徴とするメモリ装置。
【請求項２】
前記航空機関連情報は、前記航空機の運行状態を示すフライト・フェイズ情報であることを特徴とする請求項１に記載のメモリ装置。
【請求項３】
前記航空機関連情報は、航空機の速度情報であり、
前記制御部は、前記航空機関連情報が所定値よりも大きい場合は「安定動作」と判断することを特徴する請求項１に記載のメモリ装置。
【発明の詳細な説明】
【技術分野】
【０００１】
本開示は、航空機に搭載された基幹システムのデータを記憶可能なメモリ装置に関する。
【背景技術】
【０００２】
特許文献１は、衝突時に保存可能な航空機のフライトデコーダシステムのための使用することが適当な、環境的に保護され、信頼度の高い固定メモリ配列を開示する。消去／書き込み保護回路は、パワー源の電圧が低いときに、メモリユニットの読出しおよび書き込み機能の双方を禁止し、メモリ制御ラインを不可能化するようにされており、これによって、種々のシステムの回路の低電圧動作の結果として生じるメモリユニット内の誤りのデータ蓄積を防止するようにされる。
【先行技術文献】
【特許文献】
【０００３】
【特許文献１】特表昭６１−５０１１７６号公報
【発明の概要】
【発明が解決しようとする課題】
【０００４】
本開示は、メモリへのデータ書き込み中に電源遮断があってもメモリへの書き込みを安全に終了することができるとともに、航空機の運航状況を示す情報を利用することで通信遅延を軽減することができるメモリ装置を提供する。
【課題を解決するための手段】
【０００５】
本開示におけるメモリ装置は、航空機体で使用され、外部からのデータをメモリに読み書きすることができるメモリ装置であって、電源遮断を検知する入力電圧低下検出回路と、外部から航空機関連情報を受信し、受信した航空機関連情報をもとにフライト状態が「安定動作」あるいは「電源遮断」であるかを判定するとともに、外部からデータ書き込み指示があったときに書き込みコマンドをメモリに出力するメモリ制御部と、フライト状態に基づき、メモリ制御部とメモリを接続するデータ通信ラインを制御回路に接続させるかどうかを判断する中継回路とを備え、入力電圧低下検出回路は、電源遮断を検知したときに、メモリ制御部及び中継回路に対して電源低下検出信号を出力し、中継回路は、フライト状態が「安定動作」のときには制御回路をスルーし、「電源遮断」のときには制御回路を中継するように切り替え、制御回路は、中継回路でデータ通信ラインが制御回路を中継するように切り替わっている場合に中継回路が電源低下検出信号を受信したときは、自ら書き込み停止コマンドをメモリに出力する。
【発明の効果】
【０００６】
本開示におけるメモリ制御装置は、メモリへデータ書き込み中に電源遮断があっても書き込みを安全に終了させることにより、データ破壊を抑制することができる。さらに、航空機の運航状況を示す情報を利用することにより、通信遅延を軽減することができる。
【図面の簡単な説明】
【０００７】
【図１】実施の形態１にかかるメモリ装置の構成を示すブロック図
【図２】実施の形態１にかかるメモリ装置の動作を示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図１及び図２を用いて、実施の形態１を説明する。
【００１１】
[１−１  構成]
図１は、実施の形態１に係るメモリ装置の構成を示す図である。
【００１２】
メモリ装置１００は、航空機システム１０１で利用されるデータを記録するための装置である。メモリ装置１００は、電源回路１０２、通信回路１０３、メモリ制御手段１０４、中継回路１０５、メモリ１０６で構成される。
【００１３】
電源回路１０２は、航空機システム１０１の電源供給部（図示せず）から、メモリ装置１００内部で使用するための電源を生成し、通信回路１０３、メモリ制御手段１０４、中継回路１０５、メモリ１０６に電力を供給する（図１の破線）。電源回路１０２は、入力電圧低下検出回路１０７と電圧保持回路１０８で構成される。入力電圧低下検出回路１０７は、航空機システム１０１の電源供給部からの電源が低下したときに電圧低下検出信号をメモリ制御手段１０４と中継回路１０５に出力する。電圧保持回路１０８は、メモリ装置１００内部の電圧を一定期間だけ保持する。
【００１４】
通信回路１０３は、航空機システム１０１から、航空機の運航状態を示すフライト・フェイズ情報を受信する。フライト・フェイズ情報は少なくとも「安定動作（地上モード）」、「電源遮断」、「安定動作（飛行中モード）」からなる。「安定動作（地上モード）」とは、飛行機の電源がトーイングカーから供給されている状態をいう。「電源遮断」とは、離陸前においては、飛行機がトーイングカーから引き離される際に地上からの電源供給がなくなる状態、ならびに離陸直前まで滑走中の状態、着陸後においては、着陸直後から滑走中の状態、ならびに飛行機がトーイングカーに接続されて地上から電源供給されるまでの状態をいう。「安定動作（飛行中モード）」とは、飛行中であり飛行機自ら発電し電源供給をしている状態をいう。
【００１５】
メモリ制御手段１０４は、航空機システム１０１からデータ書き込み指示があったときに、メモリ１０６に対して書き込みコマンドを出力する。またメモリ制御手段１０４は、航空機システム１０１からデータ書き込み停止指示があったときに、メモリ１０６に対して書き込み停止コマンドを出力する。また、メモリ制御手段１０４は、電源遮断が発生しやすいと判断されたとき、中継切替信号を出力する。
【００１６】
中継回路１０５は、メモリ制御手段１０４からの指示をもとに、コマンド及びデータをメモリ１０６に対し中継する。中継回路１０５は、制御回路１０９と中継切替回路１１０で構成される。制御回路は、電圧低下検出信号を受信したときには、自ら書き込み禁止コマンドを出力する。中継回路１０５は、メモリ制御手段１０４からの中継切替信号及び電源回路１０２からの電圧低下検出信号に基づいて、メモリ制御手段１０４からのコマンド及びデータをそのままスルーしてメモリ１０６に送出するか、制御回路１０９を経由してコマンド及びデータを送出するかのいずれかに切り替える。制御回路１０９は、中継切替信号を受信したときには、中継切替回路１１０をａ点に切り替える。一方、制御回路１０９は、中継切替信号を受信しないときには、中継切替回路１１０をｂ点に切り替える。
【００１７】
メモリ１０６は、メモリ制御手段１０４から書き込みコマンドを受信したときには、データを書き込む。またメモリ１０６は、メモリ制御手段１０４から書き込み停止コマンドを受信したときには、データの書き込みを停止する。
【００１８】
[１−２  動作]
以上のように構成されたメモリ装置１００について、図２に示すフローチャートを用いて、その動作を詳細に説明する。
【００１９】
通信回路１０３は、航空機システム１０１からフライト・フェイズ情報を取得する（ステップＳ１００）。例えば、航空機が旅客ターミナルで待機中のとき、フライト・フェイズ情報は「安定動作（地上モード）」となる。
【００２０】
メモリ制御手段１０４は、通信回路１０３で取得されたフライト・フェイズ情報から、現在の状態が電源遮断の発生しやすい状態か否かを判断する（ステップＳ１０１）。発生しやすいと判断したときにはステップＳ１０２に、発生しやすくないと判断したときにはステップＳ１０６に進む。例えば、フライト・フェイズ情報が「電源遮断」のときには、トーイングカーから引き離される際に電源遮断が発生しやすいため、ステップＳ１０２に進む。
【００２１】
電源遮断が発生しやすいと判断されたときは、メモリ制御手段１０４は、中継切替信号を中継回路１０５に出力する。中継回路１０５は、メモリ制御手段１０４からの中継切替信号を受信したら、制御回路１０９を経由してコマンド及びデータを送出するように中継切替回路をａ点に切り替える（ステップＳ１０２）。
【００２２】
メモリ制御手段１０４は、中継回路１０５において制御回路１０９を中継してメモリ１０６へ書き込みを実施する（ステップＳ１０３）。
【００２３】
中継回路１０５は、制御回路１０９が電圧低下検出信号を受信したときは（ステップＳ１０４）、書き込み停止コマンドをメモリ１０６に対して出力する。メモリ１０６は、この書き込み停止コマンドを受信したら、データの書き込み処理を中止する（ステップＳ１０５）。このように、制御回路１０９が電圧低下検出信号を受信したら、自ら書き込み停止コマンドを出力するので、メモリ制御手段１０４が他の処理で書き込み停止コマンドの出力が遅れた場合であっても、メモリ１０６は書き込みコマンドを受信することが可能となる。
【００２４】
一方、ステップＳ１０１において電源遮断が発生しにくいと判断したときには、中継回路１０５は、メモリ制御手段１０４から中継切替信号を受信せず、制御回路１０９を経由しないように中継切替回路１１０をｂ点に切り替える（ステップＳ１０６）。メモリ１０６は、書き込みコマンドを受信したら、データの書き込み処理を実施する（ステップＳ１０７）。
【００２５】
[１−３  効果等]
以上のように、実施の形態１において、メモリ装置１００は電源遮断が発生した場合でもメモリ１０６への書き込みを安全に停止することができる。
【００２６】
また、フライト・フェイズ情報をもとに制御回路を中継するように接続すること制御回路をスルーするように接続することを効率的に切り替えることで、通信遅延を軽減することができる。
【００２７】
なお、実施の形態１では、航空機の運航状況を示す情報として、フライト・フェイズ情報を使用したが、航空機の高度情報や速度情報であっても構わない。例えば、航空機の速度が時速５０ｋｍを越えるときには、電源遮断が発生しにくいと判断しても良い。
【００２８】
なお、実施の形態１では、コマンドによる書き込みあるいは読み込みを行うメモリを使用したが、リセット信号によるデータ書き込み保護機能を搭載したメモリでも構わない。例えば、電源遮断が発生しやすい状況において、制御回路が電圧低下検出信号を受信したときに、メモリに対してリセット信号を送出すれば、メモリはそのリセット信号を受信し、書き込みを行わないとしても良い。
【００２９】
なお、実施の形態１では、電源回路は１つだけであったが、複数の電源回路で構成されていても良い。例えば、入力電圧低下検出回路が全ての電源回路の供給が低下した場合に限り、電圧低下検出信号を出力するようにしても良い。
【００３０】
以上のように、本開示における技術の例示として、実施の形態を説明した。そのために、添付図面および詳細な説明を提供した。
【００３１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３２】
また、上述の実施の形態は、本開示における技術を例示するためのものであるから、特許請求の範囲またはその均等の範囲において、種々の変更、置き換え、付加、省略などを行うことができる。
【産業上の利用可能性】
【００３３】
本開示は、航空機に搭載し、メモリを有する機器に適用可能である。
【符号の説明】
【００３４】
１００  メモリ装置
１０１  航空機システム
１０２  電源回路
１０３  通信回路
１０４  メモリ制御手段
１０５  中継回路
１０６  メモリ
１０７  入力電圧低下検出回路
１０８  電圧保持回路
１０９  制御回路
１１０  中継切替回路
【図１】
2015038688.tif 000003
【図２】
2015038688.tif 000004